(57)【要約】【課題】指を汚すことなく、爪の先端部の端面にまでインクを付着させることができるネイルプリント装置及びネイルプリント装置の印刷方法を提供する。【解決手段】印刷される爪Ｔの印刷指Ｕ１の先端部を突き当てて爪Ｔの先端部を印刷指Ｕ１の先端部よりも突出させる指当て部２６と、指当て部２６に印刷指Ｕ１の先端部が突き当てられた状態で、爪Ｔに印刷を施す印刷ヘッド４６と、爪Ｔの輪郭のうち少なくとも印刷指Ｕ１より突出した部分については、爪Ｔの輪郭よりも外側の領域まで印刷を施すように印刷ヘッド４６を制御する印刷制御部５１５とを備えている。 【選択図】図４
2014124230.tif 000002
【特許請求の範囲】
【請求項１】
印刷される爪の指の先端部を突き当てて前記爪の先端部を前記指の先端部よりも突出させる指当て部と、
前記指当て部に前記指の先端部が突き当てられた状態で、前記爪に印刷を施す印刷ヘッドと、
前記爪の輪郭のうち少なくとも前記指より突出した部分については、前記爪の輪郭よりも外側の領域まで印刷を施すように前記印刷ヘッドを制御する印刷制御部と、
を備えていることを特徴とするネイルプリント装置。
【請求項２】
前記印刷される爪の指を挿入する指挿入部と、
前記爪の輪郭を検出する爪情報検出部と、
を備え、
前記印刷制御部は、前記爪のストレスポイントよりも先の部分について、前記爪情報検出部により検出された前記爪の輪郭よりも外側の領域まで印刷を施すように前記印刷ヘッドを制御することを特徴とする請求項１記載のネイルプリント装置。
【請求項３】
ネイルデザインの画像データを前記爪情報検出部により検出された前記爪の輪郭に合わせ込み、前記爪情報検出部により検出された前記爪の輪郭の領域内を印刷対象領域として印刷データを生成する印刷データ生成部を備え、
前記印刷制御部は、前記印刷データ生成部により生成された印刷データによる印刷後、前記爪のストレスポイントよりも先の部分について、さらに所定の領域について印刷を施すように前記印刷ヘッドを制御することを特徴とする請求項２記載のネイルプリント装置。
【請求項４】
ネイルデザインの画像データを前記爪情報検出部により検出された前記爪の輪郭に合わせ込んで印刷データを生成する印刷データ生成部を備え、
前記印刷データ生成部は、前記爪のストレスポイントよりも先の部分について、前記爪情報検出部により検出された前記爪の輪郭よりも外側の領域までを印刷対象領域として印刷データを生成することを特徴とする請求項２に記載のネイルプリント装置。
【請求項５】
前記指の爪を撮影して爪画像を得る撮像装置を備え、
前記爪情報検出部は、前記撮像装置によって取得された前記爪画像に基づいて、前記爪の輪郭を検出するものであることを特徴とする請求項２から請求項４のいずれか一項に記載のネイルプリント装置。
【請求項６】
印刷される爪の指の先端部を指当て部に突き当てて前記爪の先端部を前記指の先端部よりも突出させ、
前記指当て部に前記指の先端部が突き当てられた状態で、印刷ヘッドにより、前記爪の輪郭のうち少なくとも前記指より突出した部分について、前記爪の輪郭よりも外側の領域まで印刷を施すことを特徴とするネイルプリント装置の印刷方法。
【請求項７】
指挿入部に前記印刷される爪の指が挿入され、
爪情報検出部により、前記爪の輪郭が検出され、
印刷制御部により、前記爪のストレスポイントよりも先の部分について、前記爪情報検出部により検出された前記爪の輪郭よりも外側の領域まで印刷を施すように前記印刷ヘッドを制御することを特徴とする請求項６記載のネイルプリント装置の印刷方法。
【請求項８】
ネイルデザインの画像データを前記爪の輪郭に合わせ込み、前記爪の輪郭の領域内を印刷対象領域として印刷データを生成し、
前記印刷データによる印刷後、前記爪のストレスポイントよりも先の部分について、さらに所定の領域について印刷を施すことを特徴とする請求項７記載のネイルプリント装置の印刷方法。
【請求項９】
ネイルデザインの画像データを前記爪の輪郭に合わせ込んで印刷データを生成する際に、前記爪のストレスポイントよりも先の部分について、前記爪の輪郭よりも外側の領域までを印刷対象領域とし、
生成された印刷データに基づいて、印刷ヘッドにより前記爪に印刷を施すことを特徴とする請求項７に記載のネイルプリント装置の印刷方法。
【請求項１０】
前記指の爪を撮影して爪画像を取得し、
前記爪画像に基づいて、前記爪の輪郭を検出することを特徴とする請求項７から請求項９のいずれか一項に記載のネイルプリント装置の印刷方法。
【発明の詳細な説明】
【技術分野】
【０００１】
本発明は、ネイルプリント装置及びネイルプリント装置の印刷方法に関するものである。
【背景技術】
【０００２】
従来、人の指の爪に好みのネイルデザインを印刷するネイルプリント装置が知られている。
このような装置を用いれば、ネイルサロン等を利用することなく、簡易にネイルプリントを楽しむことができる。
【０００３】
例えば、特許文献１には、印刷対象となる爪の指を固定し、インクを転写するパッドを用いて印刷を行う印刷装置が提案されている。
【先行技術文献】
【特許文献】
【０００４】
【特許文献１】特開２００４−２１６８７２号公報
【発明の概要】
【発明が解決しようとする課題】
【０００５】
しかしながら、ネイルプリントを施す場合には、爪の先端部の端面にまでインクが付着していないと爪を爪先側から見たときに未印刷部分が見えてしまい、美しい仕上がりとならない。
この点、爪の輪郭を切り出してこの範囲に印刷を施すだけでは爪の先端部の端面にまでインクを付着させることができないという問題がある。
さらに、人によっては、深爪等により、爪の先端部よりも指の先端部の方が突出している場合もある。この場合に、爪の先端部にまでインクを付着させようとすると、インクが指先にまで付着して、指先を汚してしまうという問題もあり、より一層爪の先端部の端面にまでインクを付着させることが難しい。
特にインクジェット方式で印刷を行う場合には、インクがミスト状に飛散するため、爪の先端部が指の先端部よりも十分に突出していないと、指先がインクによって汚れやすいという問題がある。
【０００６】
本発明は以上のような事情に鑑みてなされたものであり、指先を汚すことなく、爪の先端部の端面にまでインクを付着させることができるネイルプリント装置及びネイルプリント装置の印刷方法を提供することを目的とするものである。
【課題を解決するための手段】
【０００７】
前記課題を解決するために、本発明のネイルプリント装置は、
印刷される爪の指の先端部を突き当てて前記爪の先端部を前記指の先端部よりも突出させる指当て部と、
前記指当て部に前記指の先端部が突き当てられた状態で、前記爪に印刷を施す印刷ヘッドと、
前記爪の輪郭のうち少なくとも前記指より突出した部分については、前記爪の輪郭よりも外側の領域まで印刷を施すように前記印刷ヘッドを制御する印刷制御部と、
を備えていることを特徴としている。
【０００８】
また、本発明のネイルプリント装置の印刷方法は、
印刷される爪の指の先端部を指当て部に突き当てて前記爪の先端部を前記指の先端部よりも突出させ、
前記指当て部に前記指の先端部が突き当てられた状態で、印刷ヘッドにより、前記爪の輪郭のうち少なくとも前記指より突出した部分について、前記爪の輪郭よりも外側の領域まで印刷を施すことを特徴としている。
【発明の効果】
【０００９】
本発明によれば、指先を汚すことなく、爪の先端部の端面にまでインクを付着させることができ、仕上がりの美しいネイルプリントを施すことができるとの効果を奏する。
【図面の簡単な説明】
【００１０】
【図１】本実施形態に係るネイルプリント装置を概念的に示した斜視図で、蓋体を開いた状態を示している。
【図２】図１のネイルプリント装置の装置本体を概念的に示した斜視図である。
【図３】図１のネイルプリント装置の正面側の断面図である。
【図４】図３におけるIV−IV線に沿う断面図である。
【図５】（ａ）は、印刷指及び爪の平面図であり、（ｂ）は、（ａ）に示す印刷指及び爪を矢視ｂ方向から見た正面図である。
【図６】指当て部に印刷指の先端部を突き当てた状態の印刷指及び爪を示す平面図である。
【図７】本実施形態に係るネイルプリント装置の制御構成を示した要部ブロック図である。
【図８】（ａ）は、本実施形態におけるデザイン画像の爪への合わせ込み処理を説明する図であり、（ｂ）は、（ａ）の合わせ込み処理により生成される印刷データのイメージを示す図である。
【図９】本実施形態における印刷処理を示すフローチャートである。
【図１０】（ａ）は、指載置部に印刷指を載置した状態を示す要部断面図であり、（ｂ）は、（ａ）に示す印刷指の先端部を指当て部に突き当てた状態を示す要部断面図であり、（ｃ）は、指載置部を印刷指の上面が指高規制部に突き当たった状態を示す要部断面図である。
【図１１】（ａ）は、本実施形態の一変形例におけるデザイン画像の爪への合わせ込み処理を説明する図であり、（ｂ）は、本実施形態の一変形例において生成される印刷データのイメージを示す図である。
【図１２】本実施形態の一変形例における印刷処理を示すフローチャートである。
【発明を実施するための形態】
【００１１】
図１から図１０を参照しつつ、本発明に係るネイルプリント装置の一実施形態について説明する。なお、以下に述べる実施形態には、本発明を実施するために技術的に好ましい種々の限定が付されているが、本発明の範囲を以下の実施形態及び図示例に限定するものではない。
【００１２】
図１は、本実施形態におけるネイルプリント装置の外観を示す斜視図であり、図２は、ネイルプリント装置の内部構成を示す斜視図である。
図１に示すように、このネイルプリント装置１は、ケース本体２及び蓋体４を備えている。蓋体４は、ケース本体２の上面（天板）の後端部に設けたヒンジ３を介して、ケース本体２に回動可能に連結されている。蓋体４は、ヒンジ３を支点として、ケース本体２の天板に重ねられた状態からケース本体２の天板に対して立てられた状態（図１参照）まで回動可能となっている。
【００１３】
上記ケース本体２は上方から平面視した場合にほぼ長円状に形成されている。このケース本体２の前側には開閉板２ｃが起倒可能に設けられている。この開閉板２ｃは、ケース本体２の前面下端部に設けられたヒンジ（図示せず）を介して、ケース本体２に連結されている。この開閉板２ｃは、ケース本体２の前面を開閉するためのものである。
なお、ケース本体２及び蓋体４の形状、構成はここに例示したものに限定されない。
【００１４】
ケース本体２の上面（天板）には操作部１２が設置されている。
操作部１２は、ユーザが各種入力を行うものである。
操作部１２には、例えば、ネイルプリント装置１の電源をＯＮする電源スイッチ釦、動作を停止させる停止スイッチ釦、爪Ｔに印刷するデザイン画像を選択するデザイン選択釦、印刷開始を指示する印刷開始釦、その他各種の入力を行うための操作釦１２１が配置されている。
【００１５】
また、ケース本体２の上面（天板）のほぼ中央部には表示部１３が設置されている。
表示部１３は、例えば液晶ディスプレイ（ＬＣＤ：Liquid Crystal Display）、有機エレクトロルミネッセンスディスプレイその他のフラットディスプレイ等で構成されている。本実施形態において、この表示部１３には、例えば、印刷指Ｕ１を撮影した画像（以下「指画像」という。）、この指画像中に含まれる爪画像（爪Ｔの輪郭線等の画像）、爪Ｔに印刷すべきデザイン画像を選択するためのデザイン選択画面、デザイン確認用のサムネイル画像、各種の指示を表示させる指示画面、告知画面、警告画面等が適宜表示される。
なお、表示部１３の表面にタッチパネルが一体的に構成されていてもよい。この場合には、例えば、先の尖った棒状の筆記具様であってタッチパネル表面に押し当てることにより筆記する図示しないスタイラスペンや、指先等によって表示部１３の表面をタッチするタッチ操作によっても各種の入力を行うことができるように構成される。
【００１６】
また、ケース本体２にはネイルプリント装置１の装置本体１０が収容されている。
図３は、本実施形態における装置本体の正面図であり、図４は図３に示されたIV−IV線に沿った断面を矢印方向に見て示した断面図である。
図２から図４に示すように、装置本体１０は、ほぼ箱状に形成され、ケース本体２の内部下方に設置された下部機枠１１ａと、この下部機枠１１ａの上方で且つケース本体２の内部上方に設置されている上部機枠１１ｂとを備えている。そして、これら下部機枠１１ａ及び上部機枠１１ｂには、印刷指固定部２０、撮影部３０、印刷部４０及び制御装置５０（図７参照）等が設けられている。
【００１７】
印刷指固定部２０は、下部機枠１１ａに設けられている。すなわち、下部機枠１１ａには、印刷指挿入部２０ａ及び非印刷指挿入部２０ｂが設けられており、これらによって印刷指固定部２０が構成されている。印刷指挿入部２０ａと非印刷指挿入部２０ｂとは、隔壁２１によって仕切られている。
ここで、印刷指挿入部２０ａは、印刷対象である爪Ｔに対応する指（以下「印刷指Ｕ１」という）を挿入するめための指挿入部である（図４参照）。なお、本実施形態では、印刷指挿入部２０ａに１本ずつ印刷指Ｕ１を挿入して爪Ｔへの印刷等を行う場合を例として説明する。印刷指挿入部２０ａの形状、大きさ等は特に限定されないが、各種の指に対応できるように、印刷指挿入部２０ａは大人の親指等が挿入された場合でもきつくない程度に形成されている。
【００１８】
印刷指挿入部２０ａの内部上方には、印刷指Ｕ１の高さ方向の位置を規制する指高規制部２４が設けられている。指高規制部２４は、板状の部材であり、印刷指Ｕ１が上方に押し上げられた際に、印刷指Ｕ１の上面が指高規制部２４の下面に突き当てられる。これにより、印刷指Ｕ１が上方に上がり過ぎないように、印刷指Ｕ１の高さ方向の位置決めがされるようになっている（例えば図１０（ｃ）参照）。
【００１９】
また、印刷指挿入部２０ａの内部であって指高規制部２４の下方には、指載置部２５が配置されている。指載置部２５は、指挿入方向奥側（図４において右側）に立設部２５ａが設けられた断面形状がほぼＬ字状の部材であり、印刷指挿入部２０ａの内部に印刷指Ｕ１が挿入されたときに印刷指Ｕ１が載置されるものである。
【００２０】
指載置部２５の内部奥側（指挿入方向の奥側、図４において右側）であって立設部２５ａの手前には、印刷指挿入部２０ａに挿入された印刷指Ｕ１の先端部（指先）が突き当てられる指当て部２６が配置されている。
指当て部２６は、例えばゴムや樹脂等で形成されたブロック状の部材であり、印刷指Ｕ１の爪Ｔより下の指先部分を突き当てることで爪Ｔの先端部を印刷指Ｕ１の先端部よりも突出させるようになっている。
図５（ａ）及び図５（ｂ）に示すように、人によっては、深爪等により、爪Ｔの先端部よりも印刷指Ｕ１の先端部の方が突出している場合もある。すなわち、図５（ａ）及び図５（ｂ）に示す例では、爪Ｔの幅方向の端部が、指の爪床（爪と皮膚が密着している薄いピンク色の指先の皮膚）から離れる両サイドの部分（これを以下「ストレスポイントＳｐ」という。図５（ａ）及び図５（ｂ）、図６において黒点Ｓｐとして示す。）よりも爪先側の部分（指先の先端側）であって、爪床から離して伸びている爪の先端の白い部分（これを以下「フリーエッジＦｅ」という。）の爪先側の輪郭（これを以下「フリーエッジラインＦｌ」という。）が指先よりも内側にある。
このような場合に、爪Ｔの先端部のフリーエッジラインＦｌ周辺やフリーエッジラインＦｌの端面領域（図５（ｂ）において「端面領域Ｆｌａ」として示す。）にインクを付着させようとすると、インクが指先に付着して指先を汚してしまう。また、爪Ｔの先端部の方が印刷指Ｕ１の先端部よりも突出している場合でも、フリーエッジラインＦｌ周辺やフリーエッジラインＦｌの端面領域Ｆｌａまで十分にインクを付着させるためには、印刷指Ｕ１の指先周辺にインクミストが飛散するため、何らかのマスキング等を行わないと、指先にインクが付着してしまう。
この点、図６に示すように、印刷指Ｕ１の爪Ｔより下の指先部分を指当て部２６に突き当てた場合には、指当て部２６に突き当てられた指先が爪Ｔの先端部よりも内側（指挿入方向の手前側）に押し込まれ、印刷ヘッド４６から吐出されたインクが指先を汚すことなく爪Ｔの先端部のフリーエッジラインＦｌ周辺やフリーエッジラインＦｌの端面領域Ｆｌａに付着しやすい状態とすることができる。
【００２１】
なお、指当て部２６を形成する材料、指当て部２６の形状等は特に限定されないが、インクの付着によって変質しないものが好ましく、また、突き当てられた指先に負担がかからないように、多少の柔軟性を有するものであることが好ましい。
また、指当て部２６は、交換可能に構成されていることが好ましい。交換手法は特に限定されないが、例えば、指載置部２５を印刷指挿入部２０ａから取り出して指当て部２６を交換できるように構成する。
このように、指当て部２６を交換可能とすることにより、指当て部２６がインク等で汚れた場合に新しいものと交換することができるほか、例えば、子供が印刷を行う場合には、指径が比較的細く長さの短い指に対応して、高さが低く、奥行き方向（指挿入方向）の長さの長い指当て部２６を装着し、大人が印刷を行う場合には、指径が太く長さの長い指に対応して、高さが高く、奥行き方向（指挿入方向）の長さの短い指当て部２６を装着する、というように、各種の大きさ（長さや指の径）の印刷指Ｕ１に対応させることができる。また、同じユーザでも指によって指径や長さが異なるため、印刷される爪Ｔの指に応じて適宜指当て部２６を選択できるようにしてもよい。
【００２２】
また、本実施形態では、隔壁２１の上面側（すなわち、印刷指挿入部２０ａの底面）に凹部２１ａが設けられており、この凹部２１ａ内には、印刷指挿入部２０ａ内に挿入され指載置部２５に載置されている印刷指Ｕ１を下側から押し上げ可能な昇降機構２３が設けられている。
昇降機構２３は、例えば油圧や空気圧によって膨張、膨出することによって下側から指載置部２５（指載置部２５に載置されている印刷指Ｕ１）を押し上げるとともに、油圧や空気圧が下がった状態において凹部２１ａ内に収容されて隔壁２１の上面とほぼ面一となる。
昇降機構２３は、後述する制御装置５０の昇降制御部５１４（図７参照）によりその昇降動作を制御されるようになっており、印刷指挿入部２０ａ内に挿入され指載置部２５に載置されている印刷指Ｕ１の上面が指高規制部２４の下面に突き当てられるまで、印刷指Ｕ１を上昇させる。
本実施形態では、昇降機構２３によって印刷指Ｕ１が押し上げられ、印刷指Ｕ１の上面が指高規制部２４の下面に突き当てられた状態において、爪Ｔが印刷ヘッド４６による印刷に適した高さに保持されるようになっている。
なお、昇降機構２３は、印刷指挿入部２０ａ内に挿入され指載置部２５に載置されている印刷指Ｕ１を昇降させることのできるものであればよく、その構成はここに例示したものに限定されない。例えば印刷指Ｕ１を下側から支持する板等を設けて、この板等をユーザが手動で昇降させることにより印刷指Ｕ１を昇降させる構成としてもよい。
また、昇降機構２３を設けることは必須ではない。爪Ｔと印刷ヘッド４６との距離を調整する必要がある場合には、例えば、印刷ヘッド４６の側の高さを可変とする機構を設けて調整するようにしてもよい。
【００２３】
また、非印刷指挿入部２０ｂは、印刷指以外の指（図示せず。以下「非印刷指」という。）を挿入するための指挿入部である。
本実施形態では、印刷指Ｕ１を印刷指挿入部２０ａに挿入し、非印刷指を非印刷指挿入部２０ｂに挿入して、印刷指Ｕ１と非印刷指とで隔壁２１を挟持することにより、印刷指Ｕ１が安定した状態で固定される。
例えば、親指が印刷指Ｕ１となる場合には、親指（印刷指Ｕ１）を印刷指挿入部２０ａに挿入し、親指以外の４本の指（人差し指、中指、薬指及び小指）を非印刷指として非印刷指挿入部２０ｂに挿入する。この場合、ユーザが印刷指Ｕ１と非印刷指とで隔壁２１を挟持することで印刷指Ｕ１が固定される。
なお、隔壁２１の指挿入側端部は、印刷指Ｕ１と非印刷指とで隔壁２１を強く挟持しても指の付け根に負担がかからないように、指挿入方向の断面が、円形や楕円形、多角形等、印刷指Ｕ１及び非印刷指の付け根が突き当てられた際に自然に馴染む形状となっていることが好ましい。
【００２４】
図２から図４に示すように、撮影部３０は、上部機枠１１ｂに設けられている。
すなわち、上部機枠１１ｂには基板１５が設置されており、この基板１５の中央部下面には、撮像装置としてのカメラ３２が設置されている。カメラ３２は、例えばドライバーを内蔵した２００万画素程度以上の画素を有するものであることが好ましい。
カメラ３２は、印刷指挿入部２０ａ内に挿入されている印刷指Ｕ１の爪Ｔを撮影して、印刷指Ｕ１の爪Ｔの画像である爪画像（爪画像を含む指画像）を得るものである。
また、基板１５には、カメラ３２を囲むように白色ＬＥＤ等の照明灯３３が設置されている。照明灯３３は、カメラ３２による撮影の際に、印刷指Ｕ１の爪Ｔを照明するものである。撮影部３０は、このカメラ３２及び照明灯３３を備えて構成されている。
本実施形態では、撮像装置としてのカメラ３２によって取得された爪画像に基づいて、後述する爪情報検出部５１２が、爪Ｔの輪郭（爪Ｔの形状）を爪情報として検出するようになっている。
この撮影部３０は、後述する制御装置５０の撮影制御部５１１（図７参照）に接続され、該撮影制御部５１１によって制御されるようになっている。
撮影部３０によって撮影された画像の画像データは、後述する記憶部５２の爪画像記憶領域５２１に記憶される。
【００２５】
また、印刷部４０は、主に上部機枠１１ｂに設けられている。すなわち、図３及び図４に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、印刷対象の被印刷面に対し直接に吹き付けて印刷を行うインクジェット方式の印刷ヘッドである。なお、印刷ヘッド４６の記録方式はインクジェット方式に限定されない。
【００２６】
本実施形態において、印刷部４０には、例えば、イエロー（Ｙ；YELLOW）、マゼンタ（Ｍ；MAGENTA）、シアン（Ｃ；CYAN）のインクに対応する印刷ヘッド４６が設けられている。各印刷ヘッド４６は、それぞれの色のインクを噴射する複数のノズルからなるノズルアレイを備えている。なお、印刷部４０に設けられる印刷ヘッド４６はこの３色のインクを吐出させるものに限定されない。その他の色のインクを吐出させる印刷ヘッド４６をさらに備えていてもよい。
印刷ヘッド４６は、指当て部２６に印刷指Ｕ１の先端部が突き当てられた状態で、印刷指Ｕ１の爪Ｔの表面に画像（ネイルデザイン）を印刷するものである。印刷ヘッド４６は、後述する爪情報検出部５１２により検出された爪情報に基づいて、印刷指Ｕ１の爪Ｔに印刷を施すようになっている。
下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２７】
主キャリッジ４２は動力伝達部（図示せず）を介してモータ４３に連結され、モータ４３の正逆回転によって、ガイドロッド４１に沿ってネイルプリント装置１の左右方向（図３における左右方向）に移動するように構成されている。また、副キャリッジ４５は動力伝達部（図示せず）を介してモータ４７に連結され、モータ４７の正逆回転によって、ガイドロッド４４に沿ってネイルプリント装置１の前後方向（図４において左右方向）に移動するように構成されている。
【００２８】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の印刷制御部５１５に接続され、該印刷制御部５１５によって制御されるようになっている。
【００２９】
また、制御装置５０は、例えば上部機枠１１ｂに配置された基板１５等に設置されている。図７は、本実施形態における制御構成を示す要部ブロック図である。
制御装置５０は、図７に示すように、図示しないＣＰＵ（Central Processing Unit）等によって構成されている制御部５１と、ＲＯＭ（Read Only Memory）及びＲＡＭ（Random Access Memory）等で構成されている記憶部５２とを備えるコンピュータである。
【００３０】
記憶部５２には、ネイルプリント装置１を動作させるための各種プログラムや各種データ等が格納されている。
具体的には、記憶部５２には、例えば、印刷データを生成するための印刷データ生成プログラム、爪Ｔの爪情報を検出するための爪情報検出プログラム、印刷処理を行うための印刷プログラム等の各種プログラムが格納されており、制御装置５０はこれらのプログラムを実行してネイルプリント装置１の各部を制御するようになっている。
また、本実施形態において記憶部５２には、撮影部３０によって取得されたユーザの印刷指Ｕ１の爪Ｔの爪画像を記憶する爪画像記憶領域５２１、爪情報検出部５１２により検出された爪情報（本実施形態では、爪の輪郭）を記憶する爪情報記憶領域５２２及び爪Ｔに印刷されるネイルデザインの画像データＤｄ（図８（ａ）参照）を記憶するネイルデザイン記憶領域５２３が設けられている。
ネイルデザイン記憶領域５２３に記憶されているネイルデザインの画像データＤｄは、図８（ａ）に示すように、例えば矩形のデータであり、各種の爪Ｔのサイズに対応できるように、一般的な爪Ｔのサイズよりも大きなサイズのものが用意されている。
【００３１】
制御部５１は、機能的に見た場合、撮影制御部５１１、爪情報検出部５１２、印刷データ生成部５１３、昇降制御部５１４、印刷制御部５１５、表示制御部５１６等の機能部を含んでいる。これら撮影制御部５１１、爪情報検出部５１２、印刷データ生成部５１３、昇降制御部５１４、印刷制御部５１５、表示制御部５１６等としての機能は、制御部５１のＣＰＵと記憶部５２のＲＯＭ等に記憶されたプログラムとの共働によって実現される。なお、制御部５１に含まれる機能部はここに挙げたものに限定されない。
【００３２】
撮影制御部５１１は、撮影部３０を制御してユーザの印刷指Ｕ１を撮影させ、爪Ｔの爪画像（爪画像を含む指画像）を取得させるものである。
撮影部３０によって取得された爪画像は、記憶部５２の爪画像記憶領域５２１に記憶される。
なお、撮影制御部５１１は、ユーザが印刷指Ｕ１を印刷指挿入部２０ａに挿入する際に、印刷指挿入部２０ａ内に挿入される印刷指Ｕ１の様子を撮影部３０に撮影させてもよい。この場合、撮影部３０によって撮影された画像を表示部１３等に表示させることにより、ユーザが印刷指Ｕ１をセットする際に目視にて印刷指Ｕ１の配置を確認でき、適切に印刷指Ｕ１の指先を指当て部２６に突き当てることができ、好ましい。
【００３３】
爪情報検出部５１２は、撮像装置であるカメラ３２によって取得された爪画像に基づいて、印刷指Ｕ１の爪Ｔについての爪情報を検出するものである。
本実施形態では、爪情報検出部５１２は、爪情報ととして、爪Ｔの輪郭（爪形状）を検出する。
具体的には、爪情報検出部５１２は、カメラ３２により取得された印刷指Ｕ１の爪Ｔの爪画像を含む指画像から、爪Ｔの輪郭（形状）や位置を検出し、この輪郭をｘ，ｙ座標等で表される情報として取得する。爪情報検出部５１２が爪Ｔの輪郭（形状）を検出する手法は特に限定されないが、例えば、爪情報検出部５１２は、カメラ３２により取得された印刷指Ｕ１の爪Ｔの爪画像を含む指画像から爪Ｔとそれ以外の指部分との色の違い等に基づいて爪Ｔの輪郭（形状）を検出するものである。なお、爪情報検出部５１２が爪Ｔの輪郭（形状）を検出する手法は特に限定されず、ここに挙げたものに限られない。
なお、爪情報検出部５１２は、爪情報として爪Ｔの輪郭（爪Ｔの形状）のみを検出するものに限定されない。例えば、爪Ｔの高さ（爪Ｔの垂直方向の位置）、爪Ｔの曲率（爪曲率）等についても検出するようにしてもよい。この場合には、例えばカメラ３２によって印刷指Ｕ１の爪Ｔを複数の異なる角度から撮影して複数の爪画像を取得し、これに基づいて爪Ｔの高さや曲率を検出する。なお、爪高さ、爪曲率についても爪情報検出部５１２が検出するとした場合には、爪Ｔの高さ方向の形状も考慮して印刷を行うことができ、より高精度の印刷を実現することができる。
【００３４】
また、本実施形態において、印刷データ生成部５１３は、ユーザが操作部１２等を操作することによって選択されたネイルデザインの画像データＤｄを爪情報検出部５１２により検出された爪Ｔの輪郭に合わせ込み、爪情報検出部５１２により検出された爪Ｔの輪郭の領域内を印刷対象領域とする印刷データＰｄ（図８（ｂ）参照）を生成するものである。
図８（ａ）は、本実施形態におけるネイルデザインの画像データの爪Ｔへの合わせ込み処理を模式的に示したものである。前述のように、本実施形態では、ネイルデザイン記憶領域５２３に記憶されているネイルデザインの画像データＤｄは、矩形の大きなサイズのデータであり、印刷データ生成部５１３は、これを爪Ｔの輪郭に合うように適宜縮小することで、図８（ｂ）に示すような印刷データＰｄを生成する。
合せ込み処理の具体的な手法は、特に限定されないが、例えば、印刷対象である爪Ｔの縦横の長さのうち、長さの短い方を基準として、ネイルデザインが爪Ｔからはみ出さない大きさまでネイルデザインの画像データＤｄを縮小することにより、爪Ｔの輪郭の領域内に合わせ込み、印刷データＰｄを生成する。
【００３５】
昇降制御部５１４は、昇降機構２３の動作を制御することにより、印刷指挿入部２０ａに挿入された印刷指Ｕ１を昇降させる機能部である。
本実施形態では、指載置部２５に載置されたままの印刷指Ｕ１を昇降させ、印刷時において、印刷指Ｕ１の上面が指高規制部２４の下面に当接する位置に印刷指Ｕ１を保持させる。
【００３６】
印刷制御部５１５は、印刷データ生成部５１３によって生成されたネイルデザインの印刷データを印刷部４０の印刷ヘッド４６に出力し、この印刷データにしたがって印刷ヘッド４６により爪Ｔに印刷が施されるように印刷部４０を制御するものである。
本実施形態において、印刷制御部５１５は、爪ＴのストレスポイントＳｐよりも先の部分について、爪情報検出部５１２により検出された爪Ｔの輪郭よりも外側の領域まで印刷を施すように印刷ヘッド４６を制御する。印刷制御部５１５によって、指当て部２６に指の先端部が突き当てられた状態で、爪Ｔの輪郭のうち指より突出した部分については、爪Ｔの輪郭よりも外側の領域まで印刷を施すように印刷ヘッド４６を制御する。従って、指当て部２６に指の先端部が突き当てられた状態で、爪Ｔの輪郭のうち指より突出していない部分については、爪Ｔの輪郭よりも外側の領域まで印刷を施すことはしない。
具体的には、本実施形態では、印刷データ生成部５１３が、ネイルデザインの画像データＤｄを爪Ｔの輪郭に合わせ込み、爪Ｔの輪郭の領域内を印刷対象領域として印刷データＰｄを生成するようになっており、印刷制御部５１５は、爪ＴのストレスポイントＳｐよりも先の部分について、印刷データ生成部５１３により生成された印刷データＰｄによる印刷後に、さらに所定の領域について所定のデータによる印刷を施すように印刷ヘッド４６を制御する。特に、爪ＴのストレスポイントＳｐよりも先の部分であっても、皮膚と爪Ｔとが離れる部分の境界線であるイエローラインＹ（図８（ａ）等参照）と類似した（すなわち、イエローラインＹにほぼ沿っている）爪Ｔの先端ラインの領域においてのみ、もとの印刷データＰｄよりも余分に所定のデータによる印刷を施すように印刷ヘッド４６を制御することが望ましい。所謂、爪ＴのストレスポイントＳｐよりも先の部分であっても、爪Ｔの左右の爪Ｔの伸びる方向と直交する方向（すなわち、爪Ｔの両サイド）の輪郭ではなく、爪Ｔの伸びる方向の先端で、通常爪切りによって切られる切断ラインに相当する輪郭の部分のみにおいて、余分に所定のデータによる印刷を施す。
すなわち、例えば、印刷データ生成部５１３によって図８（ｂ）に示すような印刷データＰｄが生成された場合に、その爪Ｔの先端側の所定領域（図８（ｂ）における「先端領域Ｅｇ」）に割り付けられているデータと同じデータを用いて、爪Ｔの先端側の輪郭よりも外側の所定の領域に印刷を行う。先端領域Ｅｇに割り付けられているデータとは、例えば、爪Ｔの先端側の端部１ライン分のデータである。ネイルデザインは、端部においては、１色のみの背景や一定の繰返し柄であることが多く、端部１ライン分のデータを使って本来の爪Ｔの輪郭よりも外側の所定領域に印刷を行っても全体のネイルデザインが崩れることはなく、美しく仕上げることができる。
なお、どの程度の領域に印刷を行うかは特に限定されないが、例えば、爪Ｔの先端側の輪郭よりも外側に０．５ｍｍ程度余分に印刷を施す。
このように、爪Ｔの先端側の輪郭よりも外側に余分に印刷を施すことにより、図５（ｂ）に示すような、爪Ｔの先端部のフリーエッジラインＦｌ周辺やフリーエッジラインＦｌの端面領域Ｆｌａにも十分にインクを付着させることができる。
【００３７】
表示制御部５１６は、表示部１３を制御して、各種の表示画面を表示させるものである。
本実施形態では、表示制御部５１６は、例えば、印刷指Ｕ１を撮影して得られた指画像や、この指画像中に含まれる爪画像（爪Ｔの輪郭線等の画像）、爪Ｔに印刷すべき画像（すなわち、「ネイルデザイン」）を選択するためのデザイン選択画面、デザイン確認用のサムネイル画像、各種の指示を表示させる指示画面等を表示部１３に表示させるようになっている。
【００３８】
次に、図９及び図１０等を参照しつつ、本実施形態におけるネイルプリント装置１による印刷方法について説明する。
このネイルプリント装置１により印刷を行う場合、ユーザはまず、電源スイッチを入れて制御装置５０を起動させる。
表示制御部５１６は、表示部１３にデザイン選択画面を表示させ、ユーザは操作部１２の操作釦１２１等を操作して、デザイン選択画面に表示された複数のネイルデザインの中から所望のネイルデザインを選択することにより、操作部１２から選択指示信号が出力されて、一つのネイルデザインが決定される。
そして、ユーザは、図１０（ａ）に示すように、印刷指Ｕ１を、指挿入方向（図１０（ａ）に矢印で示す）に沿って、印刷指挿入部２０ａの指載置部２５に挿入し、図１０（ｂ）に示すように、印刷指Ｕ１の先端部を指当て部２６に突き当てる。これにより、印刷指Ｕ１の奥行き方向が位置決めされる。また、爪Ｔの先端部が印刷指Ｕ１の指先よりも突出した状態となる。
印刷指Ｕ１の指載置部２５へのセットが完了すると、昇降制御部５１４が昇降機構２３を動作させて、指載置部２５ごと印刷指Ｕ１を上方に押し上げる。図１０（ｃ）に示すように、昇降機構２３は、印刷指Ｕ１の上面が指高規制部２４の下面に当接する位置まで上昇すると停止し、これによって印刷指Ｕ１が指載置部２５と指高規制部２４とで挟まれて、印刷に適した高さに位置決めされる。
【００３９】
次に、撮影制御部５１１が撮影部３０を制御して印刷指Ｕ１の爪Ｔを撮影して爪画像を取得する（ステップＳ１）。爪画像が取得されると、爪情報検出部５１２は、当該爪画像から、爪情報として爪形状（爪Ｔの輪郭）を検出する（ステップＳ２）。
爪Ｔの輪郭が検出されると、印刷データ生成部５１３は、ネイルデザインの画像データＤｄを爪情報検出部５１２により検出された爪Ｔの輪郭に合わせ込み、爪情報検出部５１２により検出された爪Ｔの輪郭の領域内を印刷対象領域とする印刷データＰｄ（図８（ｂ）参照）を生成する（ステップＳ３）。
印刷データＰｄが生成されると、印刷制御部５１５は、この印刷データＰｄを印刷ヘッド４６に出力し、印刷データＰｄに基づく爪領域（すなわち、爪情報検出部５１２により検出された爪Ｔの輪郭の内側の領域）への印刷を開始させる（ステップＳ４）。
【００４０】
印刷制御部５１５は、爪領域への印刷が終了したか否かを判断し（ステップＳ５）、終了していない場合（ステップＳ５；ＮＯ）は、印刷が終了するまで処理を繰り返す。爪領域への印刷が終了した場合（ステップＳ５；ＹＥＳ）には、次に、印刷制御部５１５は、印刷ヘッド４６によりフリーエッジラインＦｌの端面領域Ｆｌａへの印刷を行わせる（ステップＳ６）。すなわち、印刷データＰｄにおける先端領域Ｅｇ（図８（ｂ）参照）に割り付けられているデータと同じデータを用いて、爪Ｔの先端側の輪郭よりも外側の所定の領域（例えば０．５ｍｍ外側の領域）まで印刷を行う。これにより、図５（ｂ）に示すような、爪Ｔの先端部のフリーエッジラインＦｌ周辺やフリーエッジラインＦｌの端面領域Ｆｌａにも十分にインクが付着する。
印刷制御部５１５は、フリーエッジラインＦｌの端面領域Ｆｌａへの印刷が終了したか否かを判断し（ステップＳ７）、終了していない場合（ステップＳ７；ＮＯ）は、印刷が終了するまで処理を繰り返す。フリーエッジラインＦｌの端面領域Ｆｌａへの印刷が終了した場合（ステップＳ７；ＹＥＳ）には、印刷処理を終了する。
【００４１】
以上のように、本実施形態によれば、印刷指指挿入部２０ａに挿入された印刷対象となる爪Ｔの指である印刷指Ｕ１の先端部を突き当てて爪Ｔの先端部を印刷指Ｕ１の先端部よりも突出させる指当て部２６を備え、指当て部２６に印刷指Ｕ１の先端部が突き当てられた状態で、爪Ｔに印刷を施す。これにより、指当て部２６に突き当たるまで印刷指Ｕ１を挿入すれば奥行き方向（指挿入方向）の位置決めが完了するため、印刷指Ｕ１の位置決めを容易に行うことができる。
また、爪情報検出部５１２により爪Ｔの輪郭を検出し、爪ＴのストレスポイントＳｐよりも先の部分については、爪情報検出部５１２により検出された爪Ｔの輪郭よりも外側の領域まで印刷を施すようになっている。このように、爪Ｔの先端部については、実際の爪Ｔの輪郭よりも延長して（はみ出して）印刷することにより、爪Ｔの先端部のフリーエッジラインＦｌ周辺やフリーエッジラインＦｌの端面領域Ｆｌａにもインクを付着させることができ、爪Ｔを先端側から見ても塗り残しのない、綺麗なネイル印刷を実現することができる。
また、爪Ｔの先端部を印刷指Ｕ１の先端部よりも突出させる指当て部２６に印刷指Ｕ１の先端部を突き当てた状態で爪Ｔに印刷を施すため、実際の爪Ｔの輪郭よりも延長して（はみ出して）印刷した場合でも、爪Ｔの先端付近を印刷した際に発生するミストが指先を汚すことがなく、指先を汚すことなく印刷を行うことができる。
また、このようにはみ出し印刷を行った場合に、印刷ヘッド４６から噴射されたインクは主として指当て部２６に付着し、周囲に飛散することが少ないため、指や装置内部がインクによって汚れるのを防ぐことができる。
また、本実施形態では、印刷データ生成部８１３においては、爪情報検出部５１２により検出された爪Ｔの輪郭の領域内を印刷対象領域として印刷データＰｄを生成し、印刷段階において所定のデータにより実際の爪Ｔの輪郭よりも延長して（はみ出して）印刷を行う。このため、印刷データ生成部８１３における処理を単純化して迅速に処理を行うことができる。
また、爪情報検出部８１２は、カメラ３２によって取得された爪画像に基づいて、爪Ｔの輪郭を検出する。これにより、正確に爪Ｔの輪郭を抽出することができ、はみ出しや塗り残しのない美しいネイルプリントを実現できる。
【００４２】
なお、以上本発明の実施形態について説明したが、本発明は、かかる実施形態に限定されず、その要旨を逸脱しない範囲で、種々変形が可能であることは言うまでもない。
【００４３】
例えば、本実施形態では、印刷データ生成部８１３においては、爪情報検出部５１２により検出された爪Ｔの輪郭の領域内を印刷対象領域として印刷データを生成し、印刷段階において所定のデータにより実際の爪Ｔの輪郭よりも延長して（はみ出して）印刷を行う場合を例示したが、爪Ｔの先端部においてはみ出し印刷を行う手法はこれに限定されない。
例えば、図１１（ａ）及び図１１（ｂ）に示すように、印刷データ生成部８１３においてネイルデザインの画像データＤｄから印刷データＰｄを生成する際に、爪ＴのストレスポイントＳｐよりも先の部分については、爪情報検出部８１２により検出された爪Ｔの輪郭よりも外側の領域までを印刷対象領域として印刷データＰｄを生成してもよい。すなわち、爪Ｔの先端部については、実際の爪Ｔの輪郭よりも大きい（長い）範囲を印刷対象領域とし、印刷データ生成部８１３は、これを含む範囲についての印刷データＰｄを生成する。例えば、図１１（ｂ）において、実線で囲んだ範囲が実際の爪領域（爪Ｔの輪郭の内側の領域）である場合に、この爪領域の外側に破線で示した一定の領域を設定し、この部分を含む範囲を印刷対象領域として印刷データＰｄを用意する。
この場合、例えば、図１２に示すように、爪画像を取得して（ステップＳ１１）、爪画像から爪情報を検出（ステップＳ１２）した後、印刷データ生成部８１３において、ネイルデザインの画像データＤｄを爪情報検出部５１２により検出された爪Ｔの輪郭に合わせ込む（ステップＳ１３）。さらに、この合わせ込み処理後のデータに、爪Ｔの先端部においてはみ出し印刷を行う領域分のデータ（すなわち、爪Ｔの先端部のフリーエッジラインＦｌ周辺やフリーエッジラインＦｌの端面領域Ｆｌａにインクを付着させるためのデータ）をプラスして印刷データＰｄとする処理を印刷データ生成部８１３において行なう（ステップＳ１４）。なお、はみ出し印刷を行う領域分のデータは、例えばネイルデザインにおいて爪先側の端部に割り当てられているデータを用いる。そして、この印刷データＰｄに基づいて印刷を行い（ステップＳ１５）、印刷制御部５１５は、印刷データＰｄについての印刷が終了したか否かを判断する（ステップＳ１６）。そして、印刷データＰｄについて印刷が終了した場合（ステップＳ１６；ＹＥＳ）に印刷処理を終了する。
なお、印刷データ生成部８１３においてネイルデザインの画像データＤｄから印刷データＰｄを生成する際に、実際の爪Ｔの輪郭よりも外側の領域までを印刷対象領域として印刷データＰｄを生成する手法はこれに限定されない。例えば、印刷データ生成部８１３がネイルデザインの画像データＤｄの合わせ込み処理を行う段階で、合わせ込む対象領域を爪ＴのストレスポイントＳｐよりも先の部分について爪情報検出部８１２により検出された爪Ｔの輪郭よりも所定量だけ大きい（長い）領域とすることによって、実際の爪Ｔの輪郭よりも大きい（長い）範囲を印刷対象領域とする印刷データＰｄを生成してもよい。
このように、印刷データ生成部８１３において、爪ＴのストレスポイントＳｐよりも先の部分につき、実際の爪Ｔの輪郭よりも大きい（長い）範囲を印刷対象領域とする印刷データを生成する場合にも、実際の爪Ｔの輪郭よりも延長して（はみ出して）印刷を行うことができ、爪Ｔの先端部のフリーエッジラインＦｌ周辺やフリーエッジラインＦｌの端面領域Ｆｌａにもインクを付着させることができ、爪Ｔを先端側から見ても塗り残しのない、綺麗なネイル印刷を実現することができる。
【００４４】
また、本実施形態では、印刷指挿入部２０ａの内部に指載置部２５を配置し、指当て部２６がこの指載置部２５内に設けられている場合を例としたが、印刷指挿入部２０ａの内部に指載置部２５を設けることは必須ではない。指載置部２５を設けない場合、印刷指挿入部２０ａの奥に指当て部２６を配置する。
【００４５】
また、本実施形態では、爪画像記憶領域５２１、爪情報記憶領域５２２、ネイルデザイン記憶領域５２３が制御装置５０の記憶部５２内に設けられている場合を例としたが、爪画像記憶領域５２１、爪情報記憶領域５２２、ネイルデザイン記憶領域５２３は制御装置５０の記憶部５２（ＲＯＭ、ＲＡＭ）に設けられている場合に限定されず、別途記憶部が設けられていてもよい。
【００４６】
また、本実施形態では、指を１本ずつ装置に挿入して順次印刷を行うネイルプリント装置１を例としたが、４本の指に対して同時に印刷を行うことのできる装置に本発明を適用することも可能である。
この場合には、指当て部２６も挿入される印刷指Ｕ１の数だけ用意される。また、指の長さに応じて、例えば小指用の指当て部２６は指挿入方向の比較的手前側に配置され、中指用の指当て部２６は指挿入方向の比較的奥側に配置されるというように、指当て部２６の位置を指種によってずらして配置してもよい。
【００４７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
印刷される爪の指の先端部を突き当てて前記爪の先端部を前記指の先端部よりも突出させる指当て部と、
前記指当て部に前記指の先端部が突き当てられた状態で、前記爪に印刷を施す印刷ヘッドと、
前記爪の輪郭のうち少なくとも前記指より突出した部分については、前記爪の輪郭よりも外側の領域まで印刷を施すように前記印刷ヘッドを制御する印刷制御部と、
を備えていることを特徴とするネイルプリント装置。
＜請求項２＞
前記印刷される爪の指を挿入する指挿入部と、
前記爪の輪郭を検出する爪情報検出部と、
を備え、
前記印刷制御部は、前記爪のストレスポイントよりも先の部分について、前記爪情報検出部により検出された前記爪の輪郭よりも外側の領域まで印刷を施すように前記印刷ヘッドを制御することを特徴とする請求項１記載のネイルプリント装置。
＜請求項３＞
ネイルデザインの画像データを前記爪情報検出部により検出された前記爪の輪郭に合わせ込み、前記爪情報検出部により検出された前記爪の輪郭の領域内を印刷対象領域として印刷データを生成する印刷データ生成部を備え、
前記印刷制御部は、前記印刷データ生成部により生成された印刷データによる印刷後、前記爪のストレスポイントよりも先の部分について、さらに所定の領域について印刷を施すように前記印刷ヘッドを制御することを特徴とする請求項２記載のネイルプリント装置。
＜請求項４＞
ネイルデザインの画像データを前記爪情報検出部により検出された前記爪の輪郭に合わせ込んで印刷データを生成する印刷データ生成部を備え、
前記印刷データ生成部は、前記爪のストレスポイントよりも先の部分について、前記爪情報検出部により検出された前記爪の輪郭よりも外側の領域までを印刷対象領域として印刷データを生成することを特徴とする請求項２に記載のネイルプリント装置。
＜請求項５＞
前記指の爪を撮影して爪画像を得る撮像装置を備え、
前記爪情報検出部は、前記撮像装置によって取得された前記爪画像に基づいて、前記爪の輪郭を検出するものであることを特徴とする請求項２から請求項４のいずれか一項に記載のネイルプリント装置。
＜請求項６＞
印刷される爪の指の先端部を指当て部に突き当てて前記爪の先端部を前記指の先端部よりも突出させ、
前記指当て部に前記指の先端部が突き当てられた状態で、印刷ヘッドにより、前記爪の輪郭のうち少なくとも前記指より突出した部分について、前記爪の輪郭よりも外側の領域まで印刷を施すことを特徴とするネイルプリント装置の印刷方法。
＜請求項７＞
指挿入部に前記印刷される爪の指が挿入され、
爪情報検出部により、前記爪の輪郭が検出され、
印刷制御部により、前記爪のストレスポイントよりも先の部分について、前記爪情報検出部により検出された前記爪の輪郭よりも外側の領域まで印刷を施すように前記印刷ヘッドを制御することを特徴とする請求項６記載のネイルプリント装置の印刷方法。
＜請求項８＞
ネイルデザインの画像データを前記爪の輪郭に合わせ込み、前記爪の輪郭の領域内を印刷対象領域として印刷データを生成し、
前記印刷データによる印刷後、前記爪のストレスポイントよりも先の部分について、さらに所定の領域について印刷を施すことを特徴とする請求項７記載のネイルプリント装置の印刷方法。
＜請求項９＞
ネイルデザインの画像データを前記爪の輪郭に合わせ込んで印刷データを生成する際に、前記爪のストレスポイントよりも先の部分について、前記爪の輪郭よりも外側の領域までを印刷対象領域とし、
生成された印刷データに基づいて、印刷ヘッドにより前記爪に印刷を施すことを特徴とする請求項７に記載のネイルプリント装置の印刷方法。
＜請求項１０＞
前記指の爪を撮影して爪画像を取得し、
前記爪画像に基づいて、前記爪の輪郭を検出することを特徴とする請求項７から請求項９のいずれか一項に記載のネイルプリント装置の印刷方法。
【符号の説明】
【００４８】
１      ネイルプリント装置
２０ａ  印刷指挿入部
２３    昇降機構
２４    指高規制部
２５    指載置部
２６    指当て部
３０    撮影部
４０    印刷部
４６    印刷ヘッド
５０    制御装置
５１１  撮影制御部
５１２  爪情報検出部
５１３  印刷データ生成部
５１４  昇降制御部
５１５  印刷制御部
５２３  ネイルデザイン記憶領域
Ｔ      爪
Ｕ１    印刷指
【図１】
2014124230.tif 000003
【図２】
2014124230.tif 000004
【図３】
2014124230.tif 000005
【図４】
2014124230.tif 000006
【図５】
2014124230.tif 000007
【図６】
2014124230.tif 000008
【図７】
2014124230.tif 000009
【図８】
2014124230.tif 000010
【図９】
2014124230.tif 000011
【図１０】
2014124230.tif 000012
【図１１】
2014124230.tif 000013
【図１２】
2014124230.tif 000014